(57)【特許請求の範囲】
【請求項１】
多重入出力（ＭＩＭＯ）システムのネットワーク要素（１３０、２２０、３３０、４３０、５２０、６２０、６３０、１１７０）によって実行される方法であって、前記方法は、
ユーザ機器（ＵＥ）（１１０、１２０、２１０、３１０、３２０、４１０、４２０、５１０、５３０、６１０、６４０、１０２０、１１００）によって利用される輸送ブロックに関する情報と、前記ＵＥによって利用される専用参照信号ポートに関する情報とを含むダウンリンク制御情報（ＤＣＩ）を伝送すること（１５２、１５４、１０３０）
を含み、
１つの輸送ブロックが用いられることを前記情報が示す場合に、第１の組の層の組み合わせまたは関連する専用参照ポートの組み合わせが、前記ＵＥによって利用され、
２つの輸送ブロックが用いられることを前記情報が示す場合に、第２の組の層の組み合わせまたは関連する専用参照ポートの組み合わせが、前記ＵＥによって利用され、
最大８個の専用参照ポートが、前記ＵＥによる使用のために示される、方法。
【請求項２】
前記ＤＣＩに含まれる前記情報は、多重ユーザＭＩＭＯ伝送をサポートする、請求項１に記載の方法。
【請求項３】
前記ＤＣＩに含まれる前記情報は、インデックス値を含む、請求項１に記載の方法。
【請求項４】
スクランブルコードが、インデックス値に関連付けられている、請求項３に記載の方法。
【請求項５】
前記ネットワーク要素は、ロングタームエボリューション（ＬＴＥ）動作およびＬＴＥ−ａｄｖａｎｃｅｄ動作のうちの少なくとも１つが可能なｅＮｏｄｅＢである、請求項１〜４のいずれか一項に記載の方法。
【請求項６】
請求項１〜５のいずれか一項に記載の方法を実行するように構成されているプロセッサを含むネットワーク要素。
【請求項７】
請求項１〜５のいずれか一項に記載の方法を実行することをネットワーク要素に行わせる命令を格納しているコンピュータ読み取り可能な媒体。
【請求項８】
ユーザ機器（ＵＥ）（１１０、１２０、２１０、３１０、３２０、４１０、４２０、５１０、５３０、６１０、６４０、１０２０、１１００）であって、前記ＵＥは、
請求項６に記載のネットワーク要素によって実行される伝送動作に従ってダウンリンク制御情報（ＤＣＩ）を受信することと、
前記ＤＣＩに含まれる前記情報に基づいて、輸送ブロックおよび専用参照信号ポートのうちの少なくとも１つを利用することと
を行うように構成されている、ＵＥ。
【発明の詳細な説明】
【技術分野】
【０００１】
本開示は、多重入出力（ＭＩＭＯ）通信に関し、より具体的には、ＭＩＭＯシステムにおける復調データのための専用参照信号の使用に関する。
【背景技術】
【０００２】
ロングタームエボリューション（ＬＴＥ）リリース８（Ｒｅｌ−８）仕様では、マルチユーザ多重入出力（ＭＵ−ＭＩＭＯ）伝送は、物理層で伝送モード５を使用することによって、ダウンリンク伝送でサポートされる。ＭＵ−ＭＩＭＯがそのような伝送モードで特定される場合、ユーザ機器（ＵＥ）は、プリコーディングマトリクス指標（ＰＭＩ）およびチャネル品質指標（ＣＱＩ）を進化型地上無線アクセスネットワーク（Ｅ−ＵＴＲＡＮ）ノードＢ（ｅＮＢ）にフィードバックし、ｅＮＢは、２つ以上のＵＥを一緒にスケジュールに入れ、伝送に使用されるプリコーディングマトリクスをＵＥに信号伝達する。次いで、各ＵＥへの伝送電力は、一定の総伝送電力を維持するように適正に増減され得、そのような電力増減率も、ＵＥに信号伝達され得る。
【０００３】
ＵＥは、チャネル推定に共通参照信号（ＣＲＳ）を使用する。したがって、電力増減率以外に、Ｒｅｌ−８の下でのＭＵ−ＭＩＭＯスキームは、ＭＵ−ＭＩＭＯに対する特別な取り扱いを伴うことなく、閉ループ単一ユーザＭＩＭＯ（ＳＵ−ＭＩＭＯ）スキームとほぼ同じである。
【０００４】
ＬＴＥ  Ａｄｖａｎｃｅｄ（ＬＴＥ−Ａ）では、種々の特徴が考慮されている。それらの中には、参照信号（ＲＳ）が２つのカテゴリに定義されることがあり、一方はチャネル測定（ＣＳＩ−ＲＳ）、他方は復調（ＤＭ−ＲＳ）である。これは、チャネル推定および復調が全て同じ１組の共通参照信号ＣＲＳを使用する、Ｒｅｌ−８仕様とは異なる。さらに、ＤＭ−ＲＳは、データと同じ方法で事前コード化されるべきであり、ＲＳを専用参照信号（ＤＲＳ）にする。
【０００５】
ＬＴＥ  Ｒｅｌ−９では、研究されている作業項目は、二重層ビーム形成技法の性能である。そのようなシステムでは、２つの独立データストリームが符号化され、変調され、周波数資源にマップされる。次いで、データストリームは、その一部が低い相互相関を有し得る１組のアンテナからの２つの独立ビーム上で伝送される。例えば、１組のアンテナは、半波長離間した二重偏極要素のアレイであり得るか、または、各パネルが半波長離間した要素を含む、４つ以上の波長によって分離される２つのパネルであり得る。ＤＲＳはまた、復調にも使用される。
【０００６】
この専用参照信号の使用は、制御信号伝達に関する問題を生じる。制御チャネルオーバーヘッドがシステム容量に影響を及ぼすため、効率が制御チャネルに対する１つの設計配慮である。
【０００７】
効率的な制御信号伝達スキームが、資源配分の分野で開発されてきた。具体的には、複数の無線資源のうちの１つ以上を配分するために、いくつかの信号伝達スキームが開発されてきた。例えば、Ｎ個の無線資源がある場合には、資源配分を示すために、各ビットが１つの無線資源を表す、長さＮのビットマップを使用することができる。代替として、Ｎ個の無線資源がある場合には、資源配分における第１の無線資源を示すために、第１の信号伝達フィールドを使用することができ、資源配分における無線資源の数を示すために、第２の信号伝達フィールドを使用することができる。効率的な信号伝達もＤＲＳに望ましい。
【発明の概要】
【課題を解決するための手段】
【０００８】
本開示は、利用される伝送層または専用参照信号ポートに対する情報を含む、ダウンリンク制御信号を提供するステップであって、専用参照信号ポートは、伝送層と関連付けられる、ステップと、各伝送層上のデータを復調するために情報を使用するステップとを含む、多重入出力システムで使用される伝送層を信号伝達する方法を提供する。
【０００９】
本開示は、多重入出力システムで使用される伝送層および／またはＤＲＳパターン／コードあるいはＤＲＳポートを信号伝達するように構成されるネットワーク要素をさらに提供し、ネットワーク要素は、利用される伝送層および／またはＤＲＳパターン／コードあるいはＤＲＳポートに対する情報を含む、ダウンリンク制御信号を提供するための通信サブシステムを含む。
【００１０】
本開示はなおもさらに、利用される伝送層または専用参照信号ポートに対する情報を含む、ダウンリンク制御信号を受信するステップであって、専用参照信号ポートは、伝送層と関連付けられる、ステップと、情報に基づいて信号を復調するステップとを含む、多重入出力システムで使用される伝送層に対する情報を利用するためのユーザ機器における方法を提供する。
【００１１】
本開示はなおもさらに、多重入出力システムで伝送層および／またはＤＲＳパターン／コードあるいはＤＲＳポートに対する信号伝達を使用するように構成されるユーザ機器を提供し、ユーザ機器は、利用される伝送層および／またはＤＲＳパターン／コードあるいはＤＲＳポートに対する情報を含むダウンリンク制御信号を受信するための通信サブシステムと、利用される伝送層および／またはＤＲＳパターン／コードあるいはＤＲＳポートに対する情報に基づいて信号を復調するためのプロセッサとを備える。
本発明は、例えば、以下を提供する。
（項目１）
多重入出力システムで使用される伝送層を信号伝達する方法であって、
利用される伝送層または専用参照信号ポートに対する情報を含むダウンリンク制御信号を提供するステップであって、該専用参照信号ポートは、該伝送層と関連付けられている、ステップと、
各伝送層上のデータを復調するために該情報を使用するステップと
を含む、方法。
（項目２）
上記情報は、各ビットが層または対応する専用参照信号ポートに対応するビットマップを含む、項目１に記載の方法。
（項目３）
上記情報は、層の組み合わせのテーブルまたは関連専用参照信号ポートの組み合わせのテーブルに関連付けられたインデックスを含む、項目１に記載の方法。
（項目４）
上記層の組み合わせのテーブルまたは関連専用参照信号ポートの組み合わせのテーブルは、可能な組み合わせの一部に限定される、項目３に記載の方法。
（項目５）
上記可能な組み合わせの一部は、
単一ユーザ多重入出力のための全ての伝送層の組み合わせが含まれることを確実にし、
マルチユーザ多重入出力のための余分な層の組み合わせを提供し、
最も低い番号が付けられた層から、最大数の層を伴う受信機に層を割り当てるように、選択される、項目４に記載の方法。
（項目６）
ユーザ機器に対して割り当てられる層をさらに含み、上記層は、隣接する層のインデックスを有するようにグループ化され、上記情報は、開始層に対するインデックスと、層数の値とを含む、項目１に記載の方法。
（項目７）
最後の層に遭遇すると、第１の層にラップすること（ｗｒａｐｐｉｎｇ）をさらに含む、項目６に記載の方法。
（項目８）
輸送ブロック情報が、利用される伝送層に対する上記情報に使用される、項目１に記載の方法。
（項目９）
１つの輸送ブロックが使用されることを上記輸送ブロック情報が表す場合、第１組の層の組み合わせまたは関連専用参照ポートの組み合わせの情報が利用され、２つの輸送ブロックが使用されることを上記輸送ブロック情報が表す場合、第２組の層の組み合わせまたは関連専用参照ポートの組み合わせの情報が利用される、項目８に記載の方法。
（項目１０）
選択された層の組み合わせまたは関連専用参照ポートの組み合わせは、多重入出力システムにおける多重ユーザ伝送のためにサポートされ、インデックスは、専用参照信号ポートの選択された組み合わせの信号伝達を提供する、項目９に記載の方法。
（項目１１）
インデックスは、異なる長さまたは種類のウォルシュまたはスクランブルコードを有する専用参照信号ポートの選択された組み合わせを提供する、項目１０に記載の方法。
（項目１２）
全ランクを信号伝達するステップをさらに含み、上記全ランクの信号伝達は、受信機に復調情報を示す、項目１に記載の方法。
（項目１３）
輸送ブロック情報が、上記全ランクに関連して考慮される、項目１２に記載の方法。
（項目１４）
層情報と全ランク情報とは、合同でコード化される、項目１２に記載の方法。
（項目１５）
全ランク情報とは別に、専用参照信号パターン／コードまたは専用参照信号ポートを信号伝達するステップをさらに含む、項目１に記載の方法。
（項目１６）
全ランク情報が、専用参照信号パターン／コードまたは専用参照信号ポートとともに合同で符号化される、項目１に記載の方法。
（項目１７）
多重入出力システムで使用される伝送層または専用参照信号ポートを信号伝達するように構成されたネットワーク要素であって、
プロセッサと、
通信サブシステムと
を含み、該プロセッサおよび該通信サブシステムは、項目１から６のうちのいずれか１項に記載の方法を実施するように協働する、ネットワーク要素。
（項目１８）
多重入出力システムで使用される伝送層に対する情報を利用するためのユーザ機器における方法であって、
利用される伝送層または専用参照信号ポートに対する情報を含むダウンリンク制御信号を受信するステップであって、該専用参照信号ポートは、該伝送層に関連付けられている、ステップと、
該情報に基づいて信号を復調するステップと
を含む、方法。
（項目１９）
上記情報は、各ビットが層または対応する専用参照信号ポートに対応するビットマップを含む、項目１８に記載の方法。
（項目２０）
上記情報は、層の組み合わせのテーブルまたは関連専用参照信号ポートの組み合わせのテーブルに関連付けられたインデックスを含む、項目１８に記載の方法。
（項目２１）
上記層の組み合わせのテーブルまたは関連専用参照信号ポートの組み合わせのテーブルは、可能な組み合わせの一部に限定される、項目２０に記載の方法。
（項目２２）
上記ユーザ機器に対して隣接した層のインデックスを有するように層をグループ化するステップをさらに含み、上記情報は、開始層に対するインデックスと、層数の値とを含む、項目１８に記載の方法。
（項目２３）
最後の層に遭遇すると、第１の層にラップすること（ｗｒａｐｐｉｎｇ）をさらに含む、項目２２に記載の方法。
（項目２４）
輸送ブロック情報が、利用される伝送層に対する上記情報に使用される、項目１８に記載の方法。
（項目２５）
１つの輸送ブロックが使用されることを上記輸送ブロック情報が表す場合、第１組の層の組み合わせまたは関連専用参照ポートの組み合わせの情報が利用され、２つの輸送ブロックが使用されることを上記輸送ブロック情報が表す場合、第２組の層の組み合わせまたは関連専用参照ポートの組み合わせの情報が利用される、項目２４に記載の方法。
（項目２６）
選択された層の組み合わせまたは関連専用参照ポートの組み合わせは、多重入出力システムにおける多重ユーザ伝送のためにサポートされ、インデックスは、専用参照信号ポートの選択された組み合わせの信号伝達を提供する、項目２５に記載の方法。
（項目２７）
インデックスは、異なる長さまたは種類のウォルシュまたはスクランブルコードを有する専用参照信号ポートの選択された組み合わせを提供する、項目２６に記載の方法。
（項目２８）
全ランクを信号伝達するステップをさらに含み、上記全ランクの信号伝達は、上記ユーザ機器に復調情報を示す、項目１８に記載の方法。
（項目２９）
輸送ブロック情報が、上記全ランクに関連して考慮される、項目２８に記載の方法。
（項目３０）
層情報と全ランク情報とは、合同でコード化される、項目２８に記載の方法。
（項目３１）
全ランク情報とは別に、専用参照信号パターン／コードまたは専用参照信号ポートを信号伝達するステップをさらに含む、項目１８に記載の方法。
（項目３２）
全ランク情報が、専用参照信号パターン／コードまたは専用参照信号ポートとともに合同で符号化される、項目１８に記載の方法。
（項目３３）
多重入出力システムで伝送層を信号伝達するための情報を使用するように構成されたユーザ機器であって、
通信サブシステムと
プロセッサと
を含み、
該プロセッサおよび該通信サブシステムは、項目１８から３２のうちのいずれか１項に記載の方法を実施するように協働する、ユーザ機器。
【図面の簡単な説明】
【００１２】
本開示は、図面を参照すると、より良好に理解されるであろう。
【図１】図１は、ロングタームエボリューションリリース８システムにおけるマルチユーザ多重入出力通信の構成を示す、ブロック図である。
【図２】図２は、基地局と１人のユーザとの間のビーム形成通信を示す、ブロック図である。
【図３】図３は、同じビームが各ユーザに提供される、基地局と複数のユーザとの間のビーム形成通信を示すブロック図である。
【図４】図４は、別個のビームが各ユーザに提供される、基地局と複数のユーザとの間のビーム形成通信を示すブロック図である。
【図５】図５は、別個の層が異なるユーザ機器に提供される、マルチユーザ多重入出力通信を示すブロック図である。
【図６】図６は、図５のシステムのマルチセル実装を示すブロック図である。
【図７】図７は、専用参照信号パターンを示すブロック図である。
【図８】図８は、各受信機に対してグループ化された層割当を示すブロック図である。
【図９】図９は、割当が最後の層から第１の層までラップ（ｗｒａｐ）する、各受信機に対してグループ化された層割当を示すブロック図である。
【図１０】図１０は、専用参照信号パターン／コードまたはポートが導出される、ネットワーク要素とユーザ機器との間の通信を示すブロック図である。
【図１１】図１１は、例示的なユーザ機器のブロック図である。
【発明を実施するための形態】
【００１３】
ここで図１を参照する。図１に示されるように、Ｒｅｌ−８マルチユーザＭＩＭＯ伝送が示されている。ＵＥが伝送モード５であることが特定される場合、ＵＥは、プリコーディングマトリクス指標（ＰＭＩ）およびチャネル品質指標（ＣＱＩ）をｅＮＢに提供し、次いで、ｅＮＢは、２つ以上のＵＥを一緒にスケジュールに入れ、伝送に使用されるプリコーディングマトリクスをＵＥに信号伝達する。
【００１４】
したがって、図１で見られるように、ＵＥ１１０およびＵＥ１２０は両方とも、それぞれ、矢印１４２および１４４によって示されるように、ＣＱＩおよびＰＭＩとともに、基地局１４０を通してｅＮＢ１３０に信号を提供する。
【００１５】
それに応じて、ｅＮＢ１３０は、基地局１４０を通して、ＵＥ１１０および１２０をペアにし、矢印１５２および１５４によって示されるように、ＭＵ−ＭＩＭＯ伝送を開始する。
【００１６】
逆に、ＬＴＥ−Ａでは、種々のオプションが存在する。それらの中には、参照信号を２つのカテゴリに分けることがあり、１つはチャネル測定、もう１つは復調である。復調のための参照信号は、データと同じ方法で事前コード化され、したがって、専用資源信号になる。ＤＲＳをＤＭ−ＲＳとして導入するための１つの理由は、（多数のチャネルまたは層が有効である）高次ＭＩＭＯにおける資源信号伝達オーバーヘッドを制御することである。ＬＴＥ−Ａでは、共通参照信号が使用される場合、高次ＭＩＭＯはより多くのオーバーヘッドを必要とする。
【００１７】
ＬＴＥ−Ａ用のＤＲＳの導入は、マルチユーザＭＩＭＯの使用を促進し得る。すなわち、電力レベル情報がＤＲＳによって運ばれるため、ＤＲＳの使用は、ＵＥへの電力レベルの明示的な信号伝達を必要としない。また、ＤＲＳの使用により、ｅＮＢは、ＵＥによって推奨されるもの以外の異なるプリコーディングマトリクスを使用することができ、かつコードブックで特定されていないプリコーディングマトリクスを使用することさえもできる。そのようなプリコーディングマトリクスの使用は、ＭＵ−ＭＩＭＯにおける干渉抑制および除去を促進し得る。さらに、一実施形態では、ＰＭＩは、ｅＮＢによってＵＥに信号伝達される必要がないことにより、制御信号オーバーヘッドを節約する。ＤＲＳの使用はまた、層配分等のＭＵ−ＭＩＭＯ伝送のためのさらなる融通性を可能にする。
【００１８】
ＬＴＥ  Ｒｅｌ−９では、ビーム形成技法および設計側面が考慮される。そのようなシステムでは、２つの独立データストリームが符号化され、変調され、周波数資源にマップされる。次いで、データストリームは、交差分極を伴う１組のアンテナからの２つの独立ビーム上で伝送される。ＤＲＳは復調に使用される。
【００１９】
ここで図２を参照する。図２で見られるように、ＵＥ２１０は、基地局２３０を通してｅＮＢ２２０と通信する。図２の実施形態では、単一ユーザＭＩＭＯが、それぞれ、ビーム２４０および２４２によって示されるような二重層ビーム形成を有する。
【００２０】
図３を参照すると、ＵＥ３１０およびＵＥ３２０は、基地局３４０を通してｅＮＢ３３０と通信する。各ＵＥ３１０および３２０は、ビーム３５０および３５２として示される２つのビームを受信する。
【００２１】
ここで図４を参照する。図４では、ＵＥ４１０および４２０は、基地局４４０を通してｅＮＢ４３０と通信する。図４の実施例では、マルチユーザＭＩＭＯ用の二重層ビーム形成が、異なるビームに提供される。異なるビームは、ＵＥ４１０に提供されるビーム４５０、およびＵＥ４２０に提供されるビーム４５２として示される。
【００２２】
図２、３、および４から分かるように、２つの独立データストリームが変調され、周波数資源にマップされる。次いで、それらは、その一部が低い相互相関を有し得る、１組のアンテナからの２つの独立ビーム上で伝送される。例えば、１組のアンテナは、半波長離間した二重偏極要素のアレイであり得るか、または、各パネルが半波長離間した要素を含む、４つ以上の波長によって分離される２つのパネルであり得る。ＤＲＳは復調に使用される。
【００２３】
図２から４は、Ｒｅｌ−９のシステムが単一ユーザＭＩＭＯならびにマルチユーザＭＩＭＯ伝送をサポートする融通性を有し、それぞれ異なるビームまたは層上で、２人のユーザに伝送する融通性を有することができることを示す。
【００２４】
多過ぎるモードおよび構成の導入がｅＮＢおよびＵＥの両方の複雑性を増大させるため、Ｒｅｌ−９およびＬＴＥ−Ａにおける伝送融通性は、多過ぎるモードおよび多過ぎる伝送構成の導入を回避するために、対応する新しい制御信号設計を必要とする。
【００２５】
さらに、マルチユーザＭＩＭＯが、Ｒｅｌ−９およびＬＴＥ−Ａに対する性能利益を提供し得るにもかかわらず、専用参照信号を使用すること以外によって、いくつかの問題が対処される必要があり得る。これは、単一ユーザＭＩＭＯを使用することと違って、制御信号伝達の設計で考慮されるべき、マルチユーザＭＩＭＯ構成および伝送における融通性があるためである。
【００２６】
ここで図５および６を参照する。図５および６は、単一セルおよびマルチセル伝送（ＣｏＭＰ）の両方におけるマルチユーザＭＩＭＯ伝送の２つの実施例を示す。
【００２７】
具体的には、図５では、種々の層が異なるＵＥに伝送される、単一セルマルチユーザＭＩＭＯシステムが提供されている。具体的には、図５では、ＵＥ５１０は、基地局５２２を通してｅＮＢ５２０から層５１２を受信する。
【００２８】
ＵＥ５３０は、ｅＮＢ５２０から層５３２および５３４を受信する。
【００２９】
図６を参照すると、ＵＥ６１０が、ｅＮＢ６２０およびｅＮＢ６３０の両方から、それぞれ、基地局６２２および６３２を通して層６１２を受信する、マルチセルアプローチが示されている。
【００３０】
ＵＥ６４０は、図６の実施例では、ｅＮＢ６２０およびｅＮＢ６３０からビーム６４２および６４４を受信する。
【００３１】
理解されるように、図５および６は、ダウンリンク伝送を示し、それは、伝送されている異なる層を意味することができるか、または実際のビームを意味することができる。図からは、３つのビームが提供され、２つが１つのＵＥに提供されている一方で、第３のビームは、
【００３２】
しかしながら、混合層伝送は、現在のＲｅｌ−８制御信号伝達によってサポートされていない。これは、現在のＲｅｌ−８制御信号が、伝送ランク（ＴＲ）の情報のみを含み、それが、ＣＲＳがＤＭ−ＲＳとして使用される単一ユーザＭＩＭＯまたはマルチユーザＭＩＭＯをサポートのに十分であるからである。しかしながら、Ｒｅｌ−９およびＬＴＥ−Ａについて、ＤＲＳがＤＭ−ＲＳとしてＭＵ−ＭＩＭＯに使用され、異なる層上のＤＲＳが相互に対して直角であるため、ランク情報は、ＵＥが復調を行うために十分ではない。
【００３３】
具体的には、ここで図７を参照する。図７に示されるように、ＤＲＳパターン７１０は、各層に対する２組のＤＲＳ、すなわち、層１に対するＤＲＳ７２０、および層２に対するＤＲＳ７２２を有する。層１に対するＤＲＳ７２０、および層２に対するＤＲＳ７２２は、互に対して直角である。ｅＮＢが、それぞれが異なる層を用いる２つのＵＥ上でＭＵ−ＭＩＭＯ伝送を構成する場合には、ＵＥが、どの層上で伝送を受信し、復調に適切なＤＲＳを使用するかも知らなければならないため、単にランク１伝送をＵＥに信号伝達することは十分ではない。
【００３４】
さらに、Ｒｅｌ−８基準では、ＳＵ−ＭＩＭＯおよびＭＵ−ＭＩＭＯは、２つの別個の伝送モードである。しかしながら、ＬＴＥ−Ａでは、そのようなモードを１つのＭＩＭＯモードに統合させて、ＵＥを意識することなく、ＳＵ−ＭＩＭＯとＭＵ−ＭＩＭＯとの間の動的切替をサポートすることが望ましくあり得る。
【００３５】
種々の制御信号伝達オプションを以下に提供する。
【００３６】
１．ビットマップアプローチ
第１の実施形態では、ダウンリンク制御信号において伝送される層を信号伝達する１つの方法は、ビットマップを使用することである。したがって、例えば、２層伝送について、２ビットビットマップをダウンリンク制御情報（ＤＣＩ）に含むことができる。最初のビット「１」は、対応する層が伝送のためにスケジュールに入れられていることを意味する一方で、「０」というビット値は、層が伝送のためのスケジュールに入れられていないことを意味する。
【００３７】
したがって、２ビットビットマップに対する以下のビット組み合わせは、０から始まる層インデックスを仮定して、以下の意味を有することができる。
［１０］−これは、層０が伝送のためにスケジュールに入れられていることを意味する。
［０１］−これは、層１が伝送のためにスケジュールに入れられていることを意味する。
［１１］−これは、両方の層が伝送のためにスケジュールに入れられていることを意味する。
【００３８】
ロングタームエボリューション（ＬＴＥ）Ｒｅｌ−９仕様およびＬＴＥ−Ａｄｖａｎｃｅｄ（ＬＴＥ−Ａ）の両方では、各層は、対応する層を復調するために、その対応する専用参照信号（ＤＲＳ）を有する。単一ユーザＭＩＭＯについては、単層伝送または全ランク伝送を示すために、上記全ての３つのビット組み合わせを使用することができる。
【００３９】
２人のユーザを同時にスケジュールに入れることができる、マルチユーザＭＩＭＯ伝送について、各ＵＥが異なる層上で受信するようにスケジュールに入れられる場合には、ビットマップ［１０］を第１のＵＥに信号伝達することができ、ビットマップ［０１］を第２のＵＥに信号伝達することができる。
【００４０】
当業者によって理解されるように、上記のビットマップは、層情報を含むだけでなく、伝送ランク（ＴＲ）情報も含む。具体的には、ビットマップ［１０］は、単にランク１伝送がスケジュールに入れられていることを意味する一方で、［１１］のビットマップは、全ランク伝送がスケジュールにいられていることを意味する。
【００４１】
この点に関して、ビットマップ信号伝達は、層情報がＬＴＥ  Ｒｅｌ−８におけるダウンリンク制御信号から欠落しているという問題を解決するだけでなく、同じＤＣＩ形式をＳＵ−ＭＩＭＯおよびＭＵ−ＭＩＭＯに使用することができ、ＵＥがＳＵ−ＭＩＭＯモードまたはＭＵ−ＭＩＭＯモードであるかどうか認識する必要がないため、ＳＵ−ＭＩＭＯおよびＭＵ−ＭＩＭＯをＵＥに対して透明にする。
【００４２】
以下の表１を参照すると、表１は、２層伝送のためのビットマップ方法を提供し、上記を要約する。
【００４３】
【化１】
0005501453.tif 000002
【００４４】
【化２】
0005501453.tif 000003
上記の表１で見られるように、ビットマップは、伝送される層と対応し、また、伝送ランクを提供する。
【００４５】
Ｒｅｌ−９に対する二重層ビーム形成（ＢＦ）スキームについて、ＳＵ−ＭＩＭＯおよびＭＵ−ＭＩＭＯをサポートするための十分な融通性を提供するために、そのような信号伝達も使用することができる。
【００４６】
上記の２ビットビットマップは、拡大縮小可能であり、４層伝送または８層伝送のために拡張することができる。
【００４７】
４層伝送（本明細書ではランク４伝送とも呼ばれる）ＬＴＥ−Ａについて、４ビットビットマップを使用することができ、そのようなビットマップのいくつかの実施例が以下に続く。
【００４８】
具体的には、
［１１００］−２という伝送ランクを伴って、層０および１が伝送のためにスケジュールに入れられていることを意味し得る。
［０１００］−層１が伝送のためにスケジュールに入れられていること、および１という伝送ランクを意味する。
［１１１１］−４つ全ての層が伝送のためにスケジュールに入れられており、４という伝送ランクが割り当てられていることを意味する。
【００４９】
同じ慣例を利用して、ＬＴＥ−Ａにおける８層伝送には、８ビットマップを使用することができる。
【００５０】
ビットマップ方法は、要約すると、伝送される可能性のある最大数の層と同等のビットの数とともに使用される。伝送伝送される可能性のある層の総数は、単一セル伝送における仮想伝送アンテナの総数、または協調多点（ＣｏＭＰ）伝送における異なる伝送点からの複合伝送アンテナの総数と同じであろう。ビットマップにおける任意のビットは、１または０という値を使用することができ、値「１」は、対応する層がＵＥに伝送されることを意味し、値「０」は、対応する層がＵＥに伝送されないことを意味する。そのようなビットマップは、伝送され、ＤＣＩと関連付けられ得、サブフレームによって異なり得、サブフレームによって異なる数の層を伝送できるという事実を反映する。
【００５１】
上記のビットマップアプローチと同様の代替実施形態は、層配分情報のインデックスを利用することである。具体的には、４層の場合、合計１５の異なる組み合わせがある。これら１５の組み合わせを順番にソートすることによって、ｅＮＢは、４ビットというインデックス値をＵＥに信号伝達し得る。８層の場合、合計２ｅｘｐ８−１＝２５５の異なる組み合わせがある。それらを順番にソートすることによって、ｅＮＢｈは、８ビットのインデックス値をＵＥに信号伝達する。
【００５２】
ｅＮＢからＵＥに渡されるインデックス値の実施例を示す表２に関して、代替実施形態が以下で説明される。インデックスは、例えば、下記の表２に示されたビットマップと対応する。
【００５３】
【化３】
0005501453.tif 000004
さらに可能な実施形態では、フィールドが２つの部分から成ってもよい。第１の部分がサブセット指標である一方で、第２のフィールドはサブセットの中の要素のインデックスである。例えば、全ての組み合わせを２組に分け、一方がＳＵ−ＭＩＭＯ、他方がＭＵ−ＭＩＭＯである場合には、第１のサブセット指標は１ビットである。つまり、第１のサブセット指標が「０」である場合、それはＳＵ−ＭＩＭＯサブセットに対するものである。そうでなければ、それはＭＵ−ＭＩＭＯサブセットである。そのようなサブセット指標は、ＳＵ−ＭＩＭＯおよびＭＵ−ＭＩＭＯ伝送を示す他のパラメータによって、暗示的に信号伝達することができる。合計４つの層があると仮定すると、ＳＵ−ＭＩＭＯサブセットに対する第２のフィールドは、２ビット要素インデックスである。ＭＵ−ＭＩＭＯサブセットに対する第２のフィールドは、３ビット要素インデックスであり得る。したがって、統一ＤＣＩ形式が所望される場合に、そのＤＣＩ形式をＭＵ−ＭＩＭＯと整合させるように、余分なパディングビットをＳＵ−ＭＩＭＯ要素インデックスに追加することができる。
【００５４】
具体的には、サブセットを伴う指標ビットの使用は以下で図示される。
【００５５】
【化４】
0005501453.tif 000005
２．グループ化割当アプローチ
上記のビットマップアプローチは、場合によっては必要でなくてもよい、全ての任意の選択、組み合わせを対象とする。ビットマップアプローチの簡易代替案は、層を各ＵＥに一緒に割り当てることである。例えば、３つのＵＥがｎ１、ｎ２、ｎ３個の層により割り当てられる場合には、最初のｎ１個の層を第１のＵＥに割り当てることができ、次のｎ２個の層を第２のＵＥに割り当てることができ、次のｎ３個の層を第３のＵＥに割り当てることができる。
【００５６】
具体的には、ここで図８を参照する。図８では、８つの層に対する層インデックスが示されている。層インデックス８００は、第１の層８１０、第２の層８１２、第３の層８１４、第４の層８１６、第５の層８１８、第６の層８２０、第７の層８２２、および第８の層８２４を含む。
【００５７】
図８の実施例では、３つのＵＥがＭＵ−ＭＩＭＯで伝送している。第１のＵＥは、層８１０および８１２を割り当てられることができ、第２のＵＥは、層８１４、８１６、および８１８を割り当てられることができ、第３のＵＥは、層８２０、８２２、および８２４を割り当てられることができる。ＵＥへの互に隣接する層の配分は、グループ化割当アプローチと対応する。
【００５８】
各割当を信号伝達するために、（ｎ，ｍ）によって表される一対の数字を定義することができ、ｎは、各ＵＥに対する開始層のインデックスであり、ｍは、ＵＥに割り当てられる層の数である。したがって、図８の実施例では、層８１０に対する層インデックスが０から始まると仮定して、各ＵＥに対するそのような一対の数字を以下のように得られることができる。
ＵＥ＃１，（０，２）
ＵＥ＃２，（２，３）
ＵＥ＃２，（５，３）
さらに、割当は、より一般化されたラップラウンド（ｗｒａｐ  ｒｏｕｎｄ）様式で使用することができる。ここで図９を参照する。図９では、２つのＵＥが割り当てられ、１つは３つの層を有し、第２のＵＥは５つの層を有する。各ＵＥに対する開始インデックスおよび層の数は、以下のように定義することができる。
ＵＥ＃１，（２，３）
ＵＥ＃２，（５，５）
図９を参照すると、層９１０は、０という層インデックス９００を有し、後続の層、すなわち、層９１２、層９１４、層９１６、層９１８、層９２０、層９２２、および層９２４を割り当てることができる。具体的には、上記によれば、層９１８、９２０、９２４がＵＥ＃２に割り当てられる。さらに、ＵＥ＃２は、それに割り当てられた層９１０および９１２を有する。なぜなら、割り当てられる５つの層があり、過程が２つの層９１０および９１２をラップラウンドするからである。
【００５９】
以下の表４は、４層および８層伝送のためのそのようなアプローチ用の信号伝達ビットを要約する。表で見ることができるように、４層伝送については、ビットマップアプローチと比較すると、アプローチに対するオーバーヘッド削減がない。しかしながら、８層アプローチについては、そのようなアプローチは、６信号伝達ビットを必要とし、それは、ビットマップアプローチと比べて２ビットの節約である。
【００６０】
【化５】
0005501453.tif 000006
３．選択層アプローチ
上記で説明されるビットマップアプローチは、単純かつ率直であるが、任意の層選択の組み合わせを対象とし得る。伝送層の総数が３または４層等の少ない場合について、２ビットまたは４ビットのビットマップを使用することは、多くの余分なオーバーヘッドを導入せず、したがって、容認可能となる場合がある。しかしながら、伝送層の総数が多い、例えば、８層である場合について、８ビットのビットマップを使用することは、制御チャネルオーバーヘッドに関するいくつかの懸念につながり得る。オーバーヘッドの懸念に対処するために、８層伝送に対するいくらかのオーバーヘッド削減につながり得る代替的なグループ化割当アプローチが上記で提案されている。
【００６１】
さらなるアプローチは、選択層アプローチである。選択層アプローチは、伝送のための層のいくつかの組み合わせを選択的に選択する。そのような層の組み合わせの選択は、いずれの典型的な層の組み合わせも見逃すことなく、慎重に行われるべきである。他方で、全ての任意の層の組み合わせに意味があるとは限らず、したがって、層の組み合わせのうちのいくつかを除外することが性能に影響を及ぼさないはずである。
【００６２】
層の選択は、種々の基準に基づいて行われ得る。３つの基準が使用され得、例えば、以下を含み得る。
１）ＳＵ−ＭＩＭＯに対して全ての伝送層仮説が含まれるべきである。
２）ＳＵ−ＭＩＭＯに対して選択される層仮説に加えて、ＭＵ−ＭＩＭＯに対する追加層仮説も追加され得る。
３）ｅＮＢがＭＵ−ＭＩＭＯ伝送を割り当てる場合、例えば、最初に最大数の層を有するＵＥを割り当て、それに続いて第２の最大数の層を有するＵＥを割り当てる、等。
【００６３】
従って、ｅＮＢがＭＵ−ＭＩＭＯにおいて２つのＵＥ、２層を有するＵＥ＃１および３層を有するＵＥ＃２を割り当てる時、ｅＮＢは、最初に層０から２をＵＥ＃２に割り当てるべきであり、それに続いて層３から４をＵＥ＃１に割り当てる。
【００６４】
最初に最も多くの層を割り当てることは、不必要な組み合わせを回避し、信号伝達される必要がある組み合わせの削減につながり、したがって、信号伝達オーバーヘッドを節約する。
【００６５】
４層伝送に対する層選択の実施例が、表５に関して以下で図示される。
【００６６】
【化６】
0005501453.tif 000007
【００６７】
【化７】
0005501453.tif 000008
さらに、８層伝送について、表６が種々の組み合わせを提供する。
【００６８】
【化８】
0005501453.tif 000009
上記の表は、表に示された層割当を使用して、複数のＵＥへの層配分の全ての可能な組み合わせを生成できることを示す。例えば、表６からの合計８層を用いて、以下の層割当が可能となる。
それぞれ１つの空間層を伴う０〜８個のＵＥ、
それぞれ２つの空間層を伴う０〜４個のＵＥ、
それぞれ３つの空間層を伴う０〜２個のＵＥ、
それぞれ４つの空間層を伴う０〜２個のＵＥ、
それぞれ５つの空間層を伴う０〜１個のＵＥ、
それぞれ６つの空間層を伴う０〜１個のＵＥ、
それぞれ７つの空間層を伴う０〜１個のＵＥ、および
それぞれ８つの空間層を伴う０〜１個のＵＥ。
【００６９】
上記の空間層の割当の任意の組み合わせは、割り当てられた空間層の総数が合計で８以下になることを定めて、上記の表６で挙げられる層割当の一部を使用して達成可能である。
【００７０】
一実施形態では、上記の表５または６は、ビットマップを反転させることによって修正することができる。例えば、ビットマップ［１１１１１１００］は、［００１１１１１１］になるように反転させることができ、それは、層スペクトルの他方の端から始まって、最も多くの層を伴うＵＥを最初に割り当てることができることを意味する。
【００７１】
上記の表５および６を参照すると、表の第２の列の中のビットマップは、どの層がスケジュールに入れられ、どの層が入れられていないかを示す。ビットマップに関して上記の表と同様に、ビット「１」は、対応する層が伝送のためにスケジュールに入れられていることを意味する一方で、ビット「０」は、対応する層が伝送のためにスケジュールに入れられていないことを意味する。理解されるように、ＳＵ−ＭＩＭＯに対する全ての可能な層選択が含まれ、さらに、ＳＵ−ＭＩＭＯに選択されるものに加えて、主にＭＵ−ＭＩＭＯ伝送を考慮して、いくつかの追加の層の組み合わせが選択される。これは、スケジューリング融通性を失うことなく、選択仮説の数を少なく保ちながら、ＳＵ−ＭＩＭＯおよびＭＵ−ＭＩＭＯに対する良好な混合の選択を可能にする。
【００７２】
当業者によって理解されるように、上記の表５および６はまた、情報目的でランク情報も提供する。しかしながら、ＵＥが層に対するビットマップ指示（すなわち、インデックスに対応するビットマップの中のビットの総数）からそのような情報を導出することができるため、そのような情報はＵＥに伝送される必要がなくてもよい。
【００７３】
最左列は、関連ＤＣＩとともに伝送したテーブルセットの中のインデックスを提供する。上記の表５から分かるように、３ビットがランク４伝送を信号伝達するために必要とされ、５信号伝達ビットがランク８伝送のために必要とされる。これは、ランク４伝送のための上記のビットマップ方法より１ビットの節約、および上記のビットマップ方法と比較してランク８伝送のための３ビットの節約につながる。
【００７４】
選択層の組み合わせは、それが時々変化し得るか、またはＬＴＥリリース９あるいはＬＴＥ−Ａの仕様によって固定され得ることを示す、ＲＲＣ信号伝達によって半静的に構成することができる。
【００７５】
例えば、８層の場合、ＭＵ−ＭＩＭＯに対する層の組み合わせの選択は、異なるＵＥに対して異なり得る。同じＵＥについてさえも、選択層の組み合わせは、ＲＲＣ接続状態中に変化することが許可される。
【００７６】
４．輸送ブロック有効化アプローチを用いて層を選択する
上記からの信号伝達はさらに、輸送ブロック（ＴＢ）の数に関する情報を利用することによって削減され得る。具体的には、ＵＥに割り当てられた層を示す信号伝達を運ぶＤＣＩ形式として、リリース８ＤＣＩ形式２および２Ａを修正することができる。ＤＣＩ形式２および２Ａは、２つの輸送ブロックに対する情報を運び、輸送ブロック無効化情報がＤＣＩに含まれる。当業者によって理解されるように、１つの輸送ブロックが有効化される一方で、第２の輸送ブロックが無効化される場合、これは、４という最大ランクが許可されることを暗示するが、２つの輸送ブロックが有効化される場合には、ランク＞１伝送が存在する（すなわち、２つの輸送ブロックが有効化される場合には、１に等しいランクは許可されない）。
【００７７】
信号伝達の目的で、２つの表を生成することができる。
【００７８】
表７を参照して、１つの転送ブロックが有効化される時に、この表が使用され得、最大４のランクの伝送に対する伝送の組み合わせを含む。
【００７９】
【化９】
0005501453.tif 000010
上記から分かるように、上記は４というランクに限定されるが、表６に関して上記で提供されるものに追加の組み合わせを提供する。
【００８０】
両方の輸送ブロックが有効化される場合、ランク＞１伝送に対する輸送層の組み合わせを含む、表８が使用される。理解されるように、両方の輸送ブロックが有効化される場合、ランクは１よりも大きくなり、したがって、「１」というランクがこの表から除外されることができる。
【００８１】
【化１０】
0005501453.tif 000011
【００８２】
【化１１】
0005501453.tif 000012
表７および表８の両方が３２の伝送層の組み合わせを含む場合、５ビット信号伝達が十分である。これは、上記の表６と対応する方法に必要とされるものと同じ信号伝達である。しかしながら、表７および表８を表６と比較すると、表６には存在しない伝送層の組み合わせに対する追加の情報がある。これは、表６が、常に層の降順でＵＥを割り当てるという基準に従うためである。そのような割当は多くの状況で問題ではないが、半永続スケジューリング（ＳＰＳ）等のいくつかのシナリオでは、特定のＵＥに対してサブフレームごとに層を順序付け直すことが可能ではない場合がある。表７および表８で提供される追加の層の組み合わせが、この場合に有益であり得る。
【００８３】
第１の数の輸送ブロックがある場合に、層指示への制御チャネルフィールドの第１のマッピングが使用され、第２の数の輸送ブロックがある場合に、層指示への制御チャネルフィールドの第２のマッピングが使用されるように、表７および表８を参照を参照して説明されるスキームを一般化することができる。いくつかの実施形態では、制御チャネルフィールドは、これら２つの場合について、同じ数のビットによって表される。
【００８４】
５．ＤＲＳポートが全ランク依存性である場合の追加の信号伝達
上記の実施形態は、層とＤＲＳパターン／コードまたはＤＲＳポートとの間の１対１のマッピングを使用する。ＤＲＳポートは、伝送層と関連付けられるＤＲＳパターン／コードであり、ＤＲＳパターン／コードは、ＤＲＳを伝送するために使用される時間、周波数、または拡散／スクランブルコードパターンを示す。しかしながら、いくつかの実施形態では、１対１の層とＤＲＳとのマッピングが存在しない場合がある、シナリオが存在し得る。例えば、４という全伝送ランクに対する層＃１上のＤＲＳは、８という全伝送ランクに対する層＃１上のＤＲＳと同じではない場合がある。これは、同じ層上のＤＲＳ密度／パターンが、異なる伝送ランクに対して異なることを可能にする、設計によって引き起こされ得る。
【００８５】
具体的には、種々のＤＲＳ割当が図７に示された２層に行われる、図７を参照する。しかしながら、層１に対するＤＲＳ７２０は、各層に対して６つの資源要素（ＲＥ）を要する。パターンが直交するため、参照数字７２２によって図示される層２に対するＤＲＳは、異なる位置になければならない。６つのＲＥが、層２に対するＤＲＳについて示されている。
【００８６】
理解されるように、１層につき６個のＲＥが８層に使用される場合、合計で４８個のＲＥがＲＳに利用される必要があり、データに余地を少ししか残さない。
【００８７】
したがって、一実施形態では、最大２４個のＲＥを全ての層の全ランクに対するＤＲＳに利用することができる。したがって、ＤＲＳは、８層の実施形態には、１層につき３個だけのＲＥを利用し得る。逆に、４層が提供される場合、１層につき６個のＲＥが提供される。
【００８８】
ＤＲＳの総数のキャッピングは、伝送ランクに基づいて変動する、同じ層上のＤＲＳの密度／パターンにつながり得る。全伝送層が２または４層等の少ない時、ＤＲＳパターンまたはコードは、伝送ランクとともに変化しないように設計することができる。これは、表３から８の解決法を使用することができる、ＤＲＳと層との間の１対１のマッピングを作成する。
【００８９】
ＤＲＳパターン／コードが全伝送ランクとともに変化するシナリオについて、１つの解決法は、層に加えて全伝送ランクを信号伝達することである。これは、ＵＥに復調のための対応するＤＲＳを見つけさせる。そのような全伝送ランクは、８つの全伝送層の信号伝達をするために、３ビットを必要とする。全ＤＲＳパターンが全伝送ランクとは異なり得るため、代替実施形態は、伝送のための全ＤＲＳパターンを信号伝達することであり得る。例えば、符号分割多重化（ＣＤＭ）がＤＲＳ多重化に使用される場合、全ＤＲＳパターンは、１つおきの数のランクとともに変動し得る。したがって、ランク３およびランク４が、同じＤＲＳパターンを共有することができる一方で、ランク７およびランク８も、同じＤＲＳパターンを共有することができる。これは、全ＤＲＳパターンを４にし、それは、信号伝達するために２ビットしか必要としない。
【００９０】
５．１．輸送ブロック有効化が考慮される時の信号伝達
一方の輸送ブロックが有効化される一方で、他方が無効化される時に、層の組み合わせを信号伝達するために５ビットが必要とされる。加えて、４という全ランクを信号伝達するために２ビットが必要とされ、層の組み合わせおよび全伝送ランクの両方を信号伝達するために、合計で７ビットを必要とする。２つのＴＢが全て有効化される時に、８までの全ランクを信号伝達するために３ビットが必要とされる。信号伝達ビットの総数を、１つのＴＢが有効化されるシナリオと整合させるために、上記の表６に含まれるランク＞１に対する層の組み合わせを使用することができ、それは、以下の表９に示されるように、信号伝達するために４ビットを必要とする。
【００９１】
【化１２】
0005501453.tif 000013
上記の表８で見られるように、両方の輸送ブロックが有効化される、ランク＞１伝送層の組み合わせに対するインデックスは、合計１６のインデックスを必要とし、したがって、４ビットを利用して達成することができる。
【００９２】
以下の表１０で要約されるように、輸送ブロック有効化が考慮される時に必要とされる合計は７ビットである。具体的には、１つだけの輸送ブロックが有効化される場合、５ビットが伝送層信号伝達のために必要とされる一方で、２ビットが伝送ランクのために必要とされる。逆に、両方の輸送ブロックが有効化される場合、４ビットのみが層情報の伝送のために必要とされる一方で、３ビットが全伝送ランクのために必要とされる。両方の場合において、７の全ビットが必要とされる。
【００９３】
【化１３】
0005501453.tif 000014
５．２．層およびランクの合同コーディングを用いた信号伝達
最大３ビットを必要とし得る全伝送ランクを明示的に信号伝達することの代替案は、ランクおよび層情報の両方の合同コーディングを使用することであり得る。例えば、上記の表９を考慮すると、両方の輸送ブロックが有効化される時に、３ビットの追加の信号伝達が全伝送ランクに使用される場合、合計７ビットの信号伝達につながる伝送層を信号伝達するために、４ビットが必要とされる。
【００９４】
以下の表１１は、ランクおよび層情報の合同コーディングの実施例を示す。表を利用して理解されるように、５０の組み合わせが必要とされ、信号伝達のために６ビットを必要とする。これはさらに、ランクおよび層情報の別個のコーディングより１ビットの節約につながり、また、他の目的で留保することができる、１０フィールドを未使用で残す。
【００９５】
【化１４】
0005501453.tif 000015
【００９６】
【化１５】
0005501453.tif 000016
【００９７】
【化１６】
0005501453.tif 000017
上記の表１１では、「ｘ」は伝送されていない層を示す。
【００９８】
層および全伝送ランクの両方を信号伝達するために２ビットを使用することができる、合計２層の伝送について、別の実施例が表１２に示されている。
【００９９】
【化１７】
0005501453.tif 000018
再度、「ｘ」は伝送されていない層を示す。
【０１００】
Ｒｅｌ−８ＤＣＩ形式２／２ＡでのＴＢ情報が考慮される場合には、表１２の［１１］の層のビットマップを伴うランク２ＳＵ−ＭＩＭＯは、信号伝達される必要がなく、このインデックスは、他の目的のための予備とすることができる。より具体的には、信号伝達を決定するために以下のステップを使用することができる。
・両方のＴＢが有効化される場合、これはランク２ＳＵ−ＭＩＭＯが伝送されることを暗示するため、いずれの明示的な信号も必要とされない。
・そうでなく、１つだけのＴＢが有効化される場合、表１３の信号伝達を使用する。
【０１０１】
層とＤＲＳポートとの間の１対１のマッピングが存在するため、そのような信号伝達はまた、ＤＲＳポートを信号伝達するためにも使用することができ、表１３では、ｐｏｒｔ０およびｐｏｒｔ１が、それぞれ、層０および１に対応するＤＲＳポートである。
【０１０２】
【化１８】
0005501453.tif 000019
【０１０３】
【化１９】
0005501453.tif 000020
再度、表の「ｘ」は伝送されていない層を示す。
【０１０４】
上記に基づいて、実施例で示されるような合同コーディングを適用することによって、伝送層および全伝送ランクの両方をともに信号伝達することができる。また、伝送層および全伝送ランクに加えて、ＳＵ−ＭＩＭＯまたはＭＵ−ＭＩＭＯモード情報も信号伝達されることにも留意されたい。
【０１０５】
６．ＤＲＳポートの信号伝達
上記で開示される信号伝達は、層に対する信号伝達のいくつかの中間ステップに最初に分けられたＤＲＳパターン／コードまたはＤＲＳポートの信号伝達の一部と見なすことができ、図１０に関して以下で示されるような層からＤＲＳポートへのマッピングが後に続く。代替として、ＤＲＳポートに対するそのような信号伝達は、信号伝達をＤＲＳポートに直接マップすることができる方法で、直接解決することができる。
【０１０６】
ここで図１０を参照する。図１０では、基地局１０１０がＵＥ１０２０と通信する。
【０１０７】
基地局１０１０とＵＥ１０２０との間の信号伝達は、層および他の情報をＵＥ１０２０に提供する。
【０１０８】
参照数字１０３０で見られるように、地局１０１０とＵＥ１０２０との間の信号伝達は、層とＤＲＳとのマッピングに基づいて、ＵＥがＤＲＳポートを導出することができるＤＲＳポートの信号伝達と同等である。
【０１０９】
しかしながら、ＤＲＳポートが全伝送ランクとは無関係であり、伝送層のみに依存する場合、これは、ＤＲＳｐｏｒｔｎと表され得、ｎは層インデックスである。この場合、合計Ｎ個のＤＲＳアンテナポートがあり、ｐｏｒｔｎ、ｎ＝０，・・・，Ｎ−１であって、Ｎは最大可能伝送層ランクである。そのような場合について、伝送層は、ＤＲＳポートへの１対１のマッピングを有し、したがって、全ての層インデックスをＤＲＳポートインデックスと見なすことができ、上記の実施形態での層インデックスの信号伝達は、ＤＲＳポートインデックスの信号伝達と見なされ得る。
【０１１０】
ＤＲＳポートが伝送層および全伝送ランクの両方に依存する場合には、これは
【０１１１】
【数１】
0005501453.tif 000021
と表され得、ｎは層インデックスであり、ｍは全伝送ランクである。例えば、
【０１１２】
【数２】
0005501453.tif 000022
は、全伝送ランクが５である、伝送層３に対するＤＲＳポートを指す。
【０１１３】
ここで以下の表１４および１５を参照する。信号伝達表にＤＲＳポートを含む、これらの表は、上記の表６および１１から修正されている。
【０１１４】
【化２０】
0005501453.tif 000023
【０１１５】
【化２１】
0005501453.tif 000024
【０１１６】
【化２２】
0005501453.tif 000025
表１４では、最右列は、復調のためにＵＥによって使用することができるＤＲＳアンテナポートを示す。全ランク情報が別に符号化されるため、ＵＥは、ランク情報ｍを復号し、復調のための適正なＤＲＳポートを見出すために、表のＤＲＳポート指示と併せてそれを使用する必要がある。
【０１１７】
表１５では、ランクは伝送層と合同で符号化され、最右列は、復調のためにＵＥによって使用することができる明示的なＤＲＳアンテナポートを示す。いずれにしても、上記で説明される信号伝達は、ＤＲＳポートインデックスに対する信号伝達と見なすことができる。
【０１１８】
ＴＢ有効化が考慮され、選択層の組み合わせがＭＵ−ＭＩＭＯにサポートされる、別の実施例では、表１６に示されるように、層およびＤＲＳポートをＵＥに信号伝達することができる。表１６の実施例では、ＭＵ−ＭＩＭＯにおいてサポートされる全最大層は４であり、ＵＥあたりの最大層は２である。この場合、３ビットが必要とされる。
【０１１９】
表１６の実施例では、ＭＵ−ＭＩＭＯ単独伝送のための図示したＤＲＳポートは、実施例のみとして意図され、他のＤＲＳポートの組み合わせを使用することができる。ＳＵ−ＭＩＭＯに関して、最大８層がサポートされる必要があり得るため、ランクを示すために３ビットが必要とされる。
【０１２０】
表１６の信号伝達設計は、伝送がＳＵ−ＭＩＭＯまたはＭＵ−ＭＩＭＯであるかどうかを明示的に示すことなく、ＭＵ−ＭＩＭＯおよびＳＵ−ＭＩＭＯ伝送の両方をサポートすることができる。８層がＳＵ−ＭＩＭＯにサポートされる必要があるため、上記の表３に示されるように、３ビットが信号伝達のために必要とされる。しかしながら、表１６の実施形態は、ＭＵ−ＭＩＭＯおよびＳＵ−ＭＩＭＯの両方をサポートするようにいずれのオーバーヘッドも追加しない。
【０１２１】
【化２３】
0005501453.tif 000026
表１６の解決法の代替案は、ＭＵ−ＭＩＭＯに２種類のＤＲＳポートを同時にサポートすることであり、これら２種類のＤＲＳポートは、異なる数の直交ＤＲＳポートを提供し、異なるシナリオに合わせることができる。表１７に示されるように、＊によって示されるＤＲＳポートは、＊がない対応するＤＲＳポートと同じではない場合がある。例えば、ＣＤＭ／ＦＤＭ型のＤＲＳ設計では、
【０１２２】
【数３】
0005501453.tif 000027
によって表されるＤＲＳポートが、
【０１２３】
【数４】
0005501453.tif 000028
と異なるウォルシュコード長を有し得、例えば、
【０１２４】
【数５】
0005501453.tif 000029
が２というウォルシュコード長を有し、
【０１２５】
【数６】
0005501453.tif 000030
が４というウォルシュコード長を有する。２種類のＤＲＳポートを設計する目的は、ＭＵ−ＭＩＭＯの異なる適用シナリオに合わせることであろう。例えば、ＭＵ−ＭＩＭＯにおいてスケジュールに入れられる多数のユーザがいる場合、４というウォルシュコード長を有する
【０１２６】
【数７】
0005501453.tif 000031
を使用することができ、したがって、４つの直交ＤＲＳポートを提供することができ、向上した性能につながり得る。他方で、空間分離が比較的大きい、ＭＵ−ＭＩＭＯにおいてスケジュールに入れられる、より少ないユーザがいる場合、ウォルシュコード長が２である
【０１２７】
【数８】
0005501453.tif 000032
を使用することができ、したがって、２つの直交ＤＲＳポートを提供することができる。表１７から、余分なオーバーヘッドを必要とすることなく、両方の種類のＤＲＳポートを信号伝達できることが分かり、どのＤＲＳポートが使用されるかを決定することはｅＮＢ次第であり得る。
【０１２８】
【化２４】
0005501453.tif 000033
９．信号伝達を運ぶＤＣＩ形式
伝送層に対する信号伝達は、ＬＴＥ  Ｒｅｌ−９またはＲｅｌ−１０のために設計された新しいＤＣＩ形式上で運ぶことができ、または修正Ｒｅｌ−８  ＤＣＩ形式で運ぶことができる。修正Ｒｅｌ−８  ＤＣＩ形式の場合に、ＳＵ−ＭＩＭＯおよびＭＵ−ＭＩＭＯの両方を対象とする単一のＤＣＩ形式がＵＥによって受信される場合、Ｒｅｌ−８における２または２Ａの形式は、最も好適なＤＣＩ形式であり得る。
【０１２９】
ＤＲＳがＲｅｌ−９およびＲｅｌ−１０における復調に使用されるため、伝送プリコーディングマトリクス（ＴＰＭＩ）情報はＤＣＩで必要とされず、よって、これらの形式でプリコーディング情報に対応するビットを除去し、提案される信号伝達ビットと置換することができ、提案される信号伝達ビットは、伝送層またはＤＲＳポート、および必要であれば全伝送ランクの両方を信号伝達することができる。
【０１３０】
例えば、全伝送層の数が８である場合、ＰＭＩに対する信号伝達ビットは６以上となり得、これらのビットの使用の節約は、５または６ビットを必要とする、信号伝達層情報に対して使用することができる。そのような修正ＤＣＩ形式は、ＳＵ−ＭＩＭＯおよびＭＵ−ＭＩＭＯの両方に対してＲｅｌ−９またはＲｅｌ−１０で使用することができる。
【０１３１】
概して、ｅＮＢでは、第１および第２組のＵＥに対する異なる情報を運ぶために、同じＤＣＩ形式のメッセージが使用され得る。例えば、Ｒｅｌ−８のＵＥに対応する第１組のＵＥ、およびＲｅｌ−８以上のＵＥに対応する第２組のＵＥを使用することができる。標的ＵＥが第１組からである場合には、ＤＣＩ形式のメッセージは、ＰＭＩの指示を運ぶように構成される。標的ＵＥが第２組からである場合には、ＤＣＩ形式のメッセージは、層の指示を運ぶように構成される。いくつかの実施形態では、ＰＭＩの指示および層の指示は、同じ数のビットによって表される。
【０１３２】
１０．ランク１ＭＵ−ＭＩＭＯ伝送に対するＤＲＳの信号伝達
上記で説明される実施形態は、ＳＵ−ＭＩＭＯおよびＭＵ−ＭＩＭＯ伝送の両方を信号伝達するための均一なＤＣＩ形式を考慮する。それらは融通性があり、１から８層の全ての層伝送をサポートすることができる。しかしながら、ある実施形態では、ＭＵ−ＭＩＭＯにサポートされるランク１伝送のみを有することが可能であり得る。そのような配備について、提案された方法のうちの１つが信号伝達層またはＤＲＳに使用される場合、および２または２Ａで使用されるものと同様のＤＣＩ形式が使用される場合には、第２の輸送ブロックに対応するもの等のビットが無駄になる。潜在的な浪費を回避するために、１つの層に対する情報のみを含む、よりコンパクトなＤＣＩ形式を考慮することができる。この場合、ＵＥには、どのＤＲＳをＮビット長フィールドによって使用するかを信号伝達することができ、２ｅｘｐＮは、ＵＥに利用可能なＤＲＳの総数以上である。
【０１３３】
例えば、４つのＤＲＳが４伝送アンテナランク１ＭＵ−ＭＩＭＯに使用される場合には、４個のＵＥのうちのそれぞれには、４つのＤＲＳのうちのどれを使用するかを示すように、２ビットが信号伝達される。説明されるＤＲＳ割当ビットがＴＰＭＩ情報に取って代わることができる修正版のＤＣＩ形式１Ｄが、そのようなランク１ＭＵ−ＭＩＭＯ伝送に使用され得る。
【０１３４】
さらなる実施形態では、そのようなランク１のみのＭＵ−ＭＩＭＯはまた、より一般的な高ランクＭＵ−ＭＩＭＯに対するフォールバックモードとして使用することもできる。そのような場合において、ＵＥは、ランク１ＭＵ−ＭＩＭＯに対する修正ＤＣＩ形式１Ｄと、より一般的な高ランクＭＵ−ＭＩＭＯに対する修正ＤＣＩ形式２または２Ａとの両方を検出しようとすることができる。
【０１３５】
上記に基づいて、ＭＵ−ＭＩＭＯ伝送のためのいくつかの構成が存在し得る。第１の実施形態では、修正ＤＣＩ形式１Ｄを使用して、ランク１のみのＭＵ−ＭＩＭＯ伝送が適用される。
【０１３６】
さらなる構成では、新しいＤＣＩ形式、またはＲｅｌ−８  ＤＣＩ形式２および２Ａから修正されたＤＣＩ形式を使用する、ＳＵ−ＭＩＭＯおよびＭＵ−ＭＩＭＯの両方を含む、高次ＭＩＭＯ伝送を含む。
【０１３７】
第３の構成では、ランク１のみのＭＵ−ＭＩＭＯが、より一般的な高次ＭＩＭＯ伝送モードに対するフォールバックモードとして使用される。上記からの両方のＤＣＩ形式を伝送することができる。
【０１３８】
ＵＥがどのような種類のＤＣＩ形式を復号する必要があるかを知るように、そのような構成のＵＥに通知するために、高レベル信号伝達を使用することができる。
【０１３９】
１１．実施形態の要約
各アプローチに対する信号伝達ビットが、以下の表１８および表１９に関して要約される。表１８は、２および４層に必要とされる信号伝達を要約する。示されるように、方法は、多かれ少なかれ、同じ信号伝達オーバーヘッドを必要とする。
【０１４０】
表１９は、最も多くの信号伝達オーバーヘッドを受ける、８層に対する信号伝達オーバーヘッドを要約する。表１９から、ビットマップアプローチが最大の融通性を提供するが、最も多くの信号伝達ビットも必要とすることを観察することができる。代替案は、グループ割当アプローチおよび選択層アプローチを提供して、融通性を失うことなく、信号伝達のオーバーヘッドを削減する。さらに、輸送ブロック有効化情報、ならびにランクおよび層の両方の合同コーディングの援助により、全体的な信号伝達をさらに削減することができる。合同コーディング方法をビットマップ方法と比較すると、全体的な信号伝達ビットは、ほぼ半分に短縮される。
【０１４１】
【化２５】
0005501453.tif 000034
【０１４２】
【化２６】
0005501453.tif 000035
さらに、伝送を限定して、表からの選択層の組み合わせのみを使用するように、サブセット選択を適用することができる。例えば、ｅＮＢがＳＵ−ＭＩＭＯモードで伝送を強制したい場合に、ＳＵ−ＭＩＭＯに対する層割当の一部を使用することができる。他のシナリオでは、ある層がＳＰＳ（半永続スケジューリング）伝送のために予備にされ得、したがって、サブセット選択は、ＵＥへのそのような層の割当を回避することができる。そのようなサブセットは、放送チャネルを通した信号または上位層信号において事前定義することができる。
【０１４３】
いくつかのシナリオでは、ＭＵ−ＭＩＭＯおよびＳＵ−ＭＩＭＯ伝送を含み、ＵＥによる認識を伴わずにそれらの間で動的切替を可能にすることができる、統一ＭＩＭＯ伝送モードでＵＥへの層割当を信号伝達するために、提案されたアプローチを使用することが有益であり得る。
【０１４４】
さらに、いくつかの実施形態では、上記で提案される信号伝達アプローチはまた、半静的にＲＲＣ等の上位層信号伝達によって明示的に特定される、別個のＳＵ−ＭＩＭＯおよびＭＵ−ＭＩＭＯ伝送モードに使用することもできる。
【０１４５】
上記は、受信側の任意のユーザ機器、および送信側の進化型ノードＢ等の任意のネットワーク要素上で実装することができる。送信側では、ネットワーク要素は、概して、利用される輸送層に関する情報を送信するように、プロセッサ、メモリ、および通信サブシステムを含む。
【０１４６】
ＵＥ側について、図１１は、本願の装置および方法の実施形態とともに使用されることが可能なＵＥを図示するブロック図である。モバイルデバイス１１００は、典型的には、少なくとも音声通信能力を有する、双方向ワイヤレス通信デバイスである。提供される正確な機能性に応じて、ワイヤレスデバイスは、例として、データメッセージングデバイス、双方向ポケットベル、ワイヤレスＥメールデバイス、データメッセージング能力付きの携帯電話、ワイヤレスインターネット機器、モバイルデバイス、またはデータ通信デバイスと呼ばれ得る。
【０１４７】
ＵＥ１１００は、双方向通信に有効である場合、受信機１１１２および伝送機１１１４の両方、ならびに、１つ以上の、典型的には、組み込まれた、または内部のアンテナ要素１１１６および１１１８、局部発振器（ＬＯ）１１１３、およびデジタル信号プロセッサ（ＤＳＰ）１１２０等の処理モジュール等の、関連構成要素を含む、通信サブシステム１１１１を組み込む。通信の分野の当業者に明白となるように、通信サブシステム１１１１の特定の設計は、デバイスが動作することを目的としている、通信ネットワークに依存する。
【０１４８】
ネットワークアクセス要件はまた、ネットワーク１１１９の種類に応じて変動する。ＬＴＥ  ＵＥは、ＬＴＥまたはＬＴＥ−Ａネットワーク上で動作するために、加入者識別モジュール（ＳＩＭ）カードを必要とし得る。ＳＩＭインターフェース１１４４は、通常、ディスケットまたはＰＣＭＣＩＡカードのように、ＳＩＭカードを挿入し、取り出すことができる、カードスロットと同様である。ＳＩＭカードは、主要構成１１５１と、識別および加入者関連情報等の他の情報１１５３とを保持することができる。
【０１４９】
ネットワーク登録または起動手順が完了すると、ＵＥ１１００は、ネットワーク１１１９上で通信信号を送受信し得る。図１１に図示されるように、ネットワーク１１１９は、ＵＥと通信する複数のアンテナから成ることができる。  これらのアンテナは順に、ｅＮＢ１１７０に接続される。
【０１５０】
通信ネットワーク１１１９を通してアンテナ１１１６によって受信される信号は、信号増幅、周波数下方変換、フィルタリング、チャネル選択、および同等物等の一般的な受信機機能、および図１１に示されたシステム例では、アナログ・デジタル（Ａ／Ｄ）変換を行い得る受信機１１１２への入力である。受信した信号のＡ／Ｄ変換は、ＤＳＰ１１２０で行われる復調および復号等のより複雑な通信機能を可能にする。同様に、伝送される信号は、例えば、ＤＳＰ１１２０による変調および符号化を含んで処理され、デジタル・アナログ変換、周波数上方変換、フィルタリング、増幅、およびアンテナ１１１４を介した通信ネットワーク１１１９上の伝送のために、伝送機１１１８に入力される。例えば、受信機１１１２および伝送機１１１４において通信信号に適用される利得は、ＤＳＰ１１２０において実装される自動利得制御アルゴリズムを通して、適応的に制御され得る。
【０１５１】
ＵＥ１１００は、デバイスの全体的動作を制御するマイクロプロセッサ１１３８を含む。データおよび音声通信を含む通信機能は、通信サブシステム１１１１を通して行われる。マイクロプロセッサ１１３８はまた、ディスプレイ１１２２、フラッシュメモリ１１２４、ランダムアクセスメモリ（ＲＡＭ）１１２６、補助入力／出力（Ｉ／Ｏ）サブシステム１１２８、シリアルポート１１３０、１つ以上のキーボードまたはキーパッド１１３２、スピーカ１１３４、マイクロフォン１１３６、短距離通信サブシステム等の他の通信サブシステム１１４０、および、概して１１４２と指定される任意の他のデバイスサブステム等の、さらなるデバイスサブシステムとも相互作用する。シリアルポート１１３０は、ＵＳＢポートまたは当業者に公知の他のポートを含むことができる。
【０１５２】
図１１に示されたサブシステムのうちのいくつかは、通信関連機能を果たすが、他のサブシステムは、「常駐」またはオンデバイス機能を提供し得る。明白に、例えば、キーボード１１３２およびディスプレイ１１２２等のいくつかのサブシステムは、通信ネットワーク上で伝送するためのテキストメッセージの入力等の通信関連機能と、計算機またはタスクリスト等のデバイス常駐機能との両方に使用され得る。
【０１５３】
マイクロプロセッサ１１３８によって使用されるオペレーティングシステムソフトウェアは、概して、代わりに読み出し専用メモリ（ＲＯＭ）または同様の記憶要素（図示せず）であり得るフラッシュメモリ１１２４等の持続的記憶部に記憶される。当業者であれば、オペレーティングシステム、特定のデバイスアプリケーション、またはその部分は、ＲＡＭ１１２６等の揮発性メモリに一時的に取り込まれ得ることを理解するであろう。受信した通信信号も、ＲＡＭ１１２６に記憶され得る。
【０１５４】
示されるように、フラッシュメモリ１１２４は、コンピュータプログラム１１５８と、プログラムデータ記憶装置１１５０、１１５２、１１５４、および１１５６との両方に対する異なるエリアに分離することができる。これらの異なる記憶種類は、各プログラムが、独自のデータ記憶要件のためにフラッシュメモリ１１２４の一部分を配分できることを示す。マイクロプロセッサ１１３８は、そのオペレーティングシステム機能に加えて、好ましくは、ＵＥ上でのソフトウェアアプリケーションの実行を可能にする。例えば、少なくともデータおよび音声通信アプリケーションを含む、基本動作を制御する所定の一式のアプリケーションが、通常、製造中にＵＥ１１００にインストールされる。  後に、または動的に、他のアプリケーションをインストールすることができる。
【０１５５】
１つのソフトウェアアプリケーションは、Ｅメール、カレンダーイベント、音声メール、約束、およびタスクアイテム等であるが、それらに限定されない、ＵＥのユーザに関するデータアイテムを整理および管理する能力を有する、個人情報マネージャ（ＰＩＭ）アプリケーションであり得る。当然ながら、１つ以上のメモリ記憶部が、ＰＩＭデータアイテムの記憶を促進するようにＵＥ上で利用可能となる。  そのようなＰＩＭアプリケーションは、概して、ワイヤレスネットワーク１１１９を介してデータアイテムを送受信する能力を有する。一実施形態では、ＰＩＭデータアイテムは、ワイヤレスネットワーク１１１９を介してシームレスに統合、同期化、および更新され、ＵＥユーザの対応するデータアイテムは、ホストコンピュータシステムに記憶されるか、または関連付けられる。さらなるアプリケーションもまた、ネットワーク１１１９、補助Ｉ／Ｏサブシステム１１２８、シリアルポート１１３０、短距離通信サブシステム１１４０、または任意の他の好適なサブシステム１１４２を通して、ＵＥ１１００上に搭載され、マイクロプロセッサ１１３８による実行のために、ＲＡＭ１１２６または不揮発性記憶部（図示せず）に、ユーザによってインストールされ得る。そのようなアプリケーションインストールの融通性は、デバイスの機能性を増大し、強化したオンデバイス機能、通信関連機能、または両方を提供し得る。例えば、安全な通信アプリケーションは、電子商取引機能および他のそのような金融取引が、ＵＥ１１００を使用して行われることを可能にし得る。
【０１５６】
データ通信モードでは、テキストメッセージまたはウェブページダウンロード等の受信した信号は、通信サブシステム１１１１によって処理され、ディスプレイ１１２２に、または代替として補助Ｉ／Ｏデバイス１１２８に出力するために、受信した信号をさらに処理し得る、マイクロプロセッサ１１３８に入力される。
【０１５７】
ＵＥ１１００のユーザはまた、ディスプレイ１１２２、およびおそらく補助Ｉ／Ｏデバイス１１２８と併せて、例えば、いくつかの実施形態では完全英数字キーボードまたは電話型キーパッドであり得る、キーボード１１３２を使用して、Ｅメールメッセージ等のデータアイテムを構成し得る。次いで、そのような構成されたアイテムは、通信サブシステム１１１１を通して通信ネットワーク上で伝送され得る。
【０１５８】
音声通信については、受信した信号が、典型的には、スピーカ１１３４に出力され、伝送のための信号がマイクロフォン１１３６によって生成されることを除いて、ＵＥ１１００の全体的動作は同様である。音声メッセージ録音サブシステム等の代替的な音声またはオーディオＩ／Ｏサブシステムも、ＵＥ１１００上に実装され得る。音声またはオーディオ信号出力は、概して、主にスピーカ１１３４を通して達成されるが、例えば、発呼者の識別、音声通話の持続時間、または他の音声通話関連情報の指示を提供するために、ディスプレイ１１２２も使用され得る。
【０１５９】
図１１のシリアルポート１１３０は、通常、ユーザのデスクトップコンピュータ（図示せず）との同期化が望ましい携帯情報端末（ＰＤＡ）型ＵＥで実装されるが、随意的なデバイス構成要素である。そのようなポート１１３０は、外部デバイスまたはソフトウェアアプリケーションを通して、ユーザが選好を設定することを可能にし、ワイヤレス通信ネットワーク以外を通して、ＵＥ１１００に情報またはソフトウェアダウンロードを提供することによって、ＵＥ１１００の能力を拡張する。例えば、直接的であり、したがって確実かつ信頼されている接続を通して、暗号化キーをデバイスに搭載し、それにより、安全なデバイス通信を可能にするために、代替ダウンロード経路が使用され得る。  当業者によって理解されるように、シリアルポート１１３０はさらに、ＵＥをコンピュータに接続してモデムの役割を果たすために使用することができる。
【０１６０】
短距離通信サブシステム等の他の通信サブシステム１１４０は、ＵＥ１１００と、必ずしも同様のデバイスである必要はない、異なるシステムまたはデバイスとの間の通信を提供し得る、さらなる構成要素である。例えば、サブシステム１１４０は、同様に有効化されたシステムおよびデバイスとの通信を提供するように、赤外線デバイスならびに関連回路および構成要素、またはＢｌｕｅｔｏｏｔｈ（登録商標）通信モジュールを含み得る。
【０１６１】
サブシステム１１４０はまた、ＷｉＦｉまたはＷｉＭＡＸ通信に使用され得る。
【０１６２】
本明細書で説明される実施形態は、本願の技法の要素に対応する要素を有する、構造、システム、または方法の実施例である。この書面による説明は、当業者が、同様に本願の技法の要素に対応する代替要素を有する実施形態を作製および使用することを可能にし得る。したがって、本願の技法の意図された範囲は、本明細書で説明されるような本願の技法と異ならない、他の構造、システム、または方法を含み、さらに、本明細書で説明されるような本願の技法とごくわずかに異なる、他の構造、システム、または方法を含む。
【図１】
0005501453.tif 000036
【図２】
0005501453.tif 000037
【図３】
0005501453.tif 000038
【図４】
0005501453.tif 000039
【図５】
0005501453.tif 000040
【図６】
0005501453.tif 000041
【図７】
0005501453.tif 000042
【図８】
0005501453.tif 000043
【図９】
0005501453.tif 000044
【図１０】
0005501453.tif 000045
【図１１】
0005501453.tif 000046